(57)【特許請求の範囲】
【請求項１】
屈曲部を有する被検体内に対して挿入される挿入ユニットであって、
外側挿入体と、
前記外側挿入体内において、挿入方向の前後に前記外側挿入体に対して移動自在な内側挿入体と、
前記内側挿入体の前記挿入方向の先端側の部位に設けられるとともに流体の供給に伴い前記内側挿入体の径方向に膨張自在な、前記外側挿入体の前記挿入方向の先端から前記内側挿入体の前記先端側が前記挿入方向の前方に突出している状態で、前記流体の供給に伴い前記径方向に膨張して前記被検体の内壁に当接することにより、当接部位よりも前記挿入方向の後方の空間に対して、前記当接部位よりも前記前方から気体が進入することを防ぐバルーンと、
前記内側挿入体内に挿通された、前記バルーンに前記流体を供給する流体供給チューブと、
前記外側挿入体の前記挿入方向の先端側の部位、または前記内側挿入体の前記先端側の部位に設けられた、前記被検体の前記屈曲部における前記外側挿入体または前記内側挿入体の通過性を向上させる拡径部材と、
を具備し、
前記拡径部材は、前記外側挿入体の前記先端よりも前記前方に突出している前記内側挿入体において、前記バルーンよりも前記前方の部位に設けられているとともに、前記内側挿入体における前記拡径部材よりも前記前方に位置するコイルは、他の部位のコイルよりも柔軟に形成されていることを特徴とする挿入ユニット。
【請求項２】
前記外側挿入体の前記先端側及び前記内側挿入体の前記先端側は、少なくともコイル状に形成されていることを特徴とする請求項１に記載の挿入ユニット。
【請求項３】
前記拡径部材に、該拡径部材よりも前記前方に位置する前記被検体内の被検部位を撮像する撮像ユニットと、前記被検部位を照明する照明部材とが設けられていることを特徴とする請求項１に記載の挿入ユニット。
【請求項４】
前記外側挿入体の内周面に、前記内側挿入体の外周面に当接する密閉部材が設けられていることを特徴とする請求項１〜３のいずれか１項に記載の挿入ユニット。
【請求項５】
前記外側挿入体の後方の部位に被覆された筒状部材と、
前記筒状部材の外周に設けられた、前記被検体の前記内壁に当接する封止部材と、
をさらに具備することを特徴とする請求項１〜４のいずれか１項に記載の挿入ユニット。
【請求項６】
前記拡径部材は、前記外側挿入体内において前記拡径部材に前記径方向に対向して位置する前記内側挿入体の前記バルーンの膨張に伴い、前記径方向に拡径することを特徴とする請求項１に記載の挿入ユニット。
【請求項７】
前記バルーンは、該バルーンに対する前記外側挿入体の前記挿入方向における被覆範囲に応じて、前記径方向への膨張度合いが異なることを特徴とする請求項１〜６のいずれか１項に記載の挿入ユニット。
【請求項８】
前記外側挿入体の前記先端側は、Ｓ字状を有していることを特徴とする請求項１〜７のいずれか１項に記載の挿入ユニット。
【請求項９】
前記外側挿入体の前記先端に設けられるとともに前記内側挿入体によって開閉自在な、前記内側挿入体が前記外側挿入体内に位置している際は、閉成により前記外側挿入体内を密閉する蓋体と、
前記外側挿入体の前記先端側に設けられた薄肉部と、
を具備し、
前記薄肉部は、前記蓋体が閉成されている際、前記密閉された前記外側挿入体内への気体の供給に伴い前記径方向に膨張する前記拡径部材を構成していることを特徴とする請求項６に記載の挿入ユニット。
【発明の詳細な説明】
【技術分野】
【０００１】
本発明は、屈曲部を有する管路内に対して挿入される挿入ユニットに関する。
【背景技術】
【０００２】
従来、管路内に挿入される挿入体、例えば内視鏡の挿入部や、該挿入部の挿入性を向上させるために用いられる既知のガイドチューブ等の挿入方向の先端側（以下、単に先端側と称す）に、管路の径方向に膨張収縮自在なバルーンを設け、該バルーンを膨張させ、該膨張したバルーンを管路の内壁に当接させることにより、管路に対して内視鏡の挿入部や、ガイドチューブの先端側を固定する構成が周知であり、このような構成は、例えば特許文献１−３に開示されている。
【０００３】
また、特許文献４、５には、挿入体の先端側にバルーンを設け、該バルーンを膨張させ、該膨張したバルーンを管路の内壁に当接させることによって管路内に気密空間を形成し、該気密空間において、液漏れチェックやガス漏れチェック等の各種検査や溶接等の各種処置を行う構成が開示されている。
【先行技術文献】
【特許文献】
【０００４】
【特許文献１】特開２００９−１１２５３０号公報
【特許文献２】特開平７−８４４７号公報
【特許文献３】特開２００５−１６８９９０号公報
【特許文献４】特開平１０−２４３６７号公報
【特許文献５】特開平８−１４４７４号公報
【発明の概要】
【発明が解決しようとする課題】
【０００５】
ところで、通常、バルーンは、膨張収縮がしやすいように柔軟な部材から構成されているのが一般的である。また、径の大きな管路内において、管路の内壁にバルーンを当接させるためには、バルーンに膨張率の高いものを用いなければならないが、膨張率が高い程、バルーンは挿入方向に長くなる。
【０００６】
しかしながら、挿入方向に長くまた柔軟なバルーンが先端側に設けられた挿入体を、バルーンを収縮させた状態において、複数の屈曲部を有するような複雑な形状を有する管路内に挿入していく際、屈曲部の通過において、柔軟かつ挿入方向に長く形成されたバルーンは折れ曲がりやすい。これは、緩やかな屈曲部を有するとともに繋ぎ目も無い体腔内に挿入する場合にはバルーンは折れ曲がり難いが、ガス管等の管路に挿入する場合、該管路の屈曲部には、例えば直線管と屈曲管との繋ぎ目に段差が形成されている場合が有ることから、該段差に挿入体の先端が引っ掛かった状態で挿入体に押し込み力が付与されると、バルーンが折れ曲がりやすいためである。
【０００７】
バルーンが折れ曲がってしまうと、管路の入口付近から挿入体を押し込む力が先端側に伝わり難くなってしまうため、挿入体を屈曲部よりも挿入方向の前方（以下、単に前方と称す）に挿入し難い、即ち、バルーンを、屈曲部よりも前方に位置させることが難しいといった問題があった。
【０００８】
本発明は、上記問題点に鑑みてなされたものであり、複数の屈曲部を、容易に通過させることができることにより、バルーンを屈曲部よりも前方に容易に位置させることができる構成を有する挿入ユニットを提供することを目的とする。
【課題を解決するための手段】
【０００９】
上記目的を達成するために本発明の一態様における挿入ユニットは、屈曲部を有する被検体内に対して挿入される挿入ユニットであって、外側挿入体と、前記外側挿入体内において、挿入方向の前後に前記外側挿入体に対して移動自在な内側挿入体と、前記内側挿入体の前記挿入方向の先端側の部位に設けられるとともに流体の供給に伴い前記内側挿入体の径方向に膨張自在な、前記外側挿入体の前記挿入方向の先端から前記内側挿入体の前記先端側が前記挿入方向の前方に突出している状態で、前記流体の供給に伴い前記径方向に膨張して前記被検体の内壁に当接することにより、当接部位よりも前記挿入方向の後方の空間に対して、前記当接部位よりも前記前方から気体が進入することを防ぐバルーンと、前記内側挿入体内に挿通された、前記バルーンに前記流体を供給する流体供給チューブと、前記外側挿入体の前記挿入方向の先端側の部位、または前記内側挿入体の前記先端側の部位に設けられた、前記被検体の前記屈曲部における前記外側挿入体または前記内側挿入体の通過性を向上させる拡径部材と、を具備し、前記拡径部材は、前記外側挿入体の前記先端よりも前記前方に突出している前記内側挿入体において、前記バルーンよりも前記前方の部位に設けられているとともに、前記内側挿入体における前記拡径部材よりも前記前方に位置するコイルは、他の部位のコイルよりも柔軟に形成されている。
【発明の効果】
【００１０】
本発明によれば、複数の屈曲部を、容易に通過させることができることにより、バルーンを屈曲部よりも前方に容易に位置させることができる構成を有する挿入ユニットを提供することができる。
【図面の簡単な説明】
【００１１】
【図１】第１実施の形態の挿入ユニットを、内視鏡の挿入部とともに管路内に挿入した状態において概略的に示す部分斜視図
【図２】図１の外側挿入体の先端側が、管路の屈曲部を通過した状態において、屈曲部内に、内側挿入体の先端側が位置している状態を示す部分断面図
【図３】図１の外側挿入体の先端側が、管路の屈曲部を通過した状態において、屈曲部通過後の直行部に、内側挿入体の先端側が位置している状態を示す部分断面図
【図４】第２実施の形態の挿入ユニットを内視鏡の挿入部とともに管路内に挿入した状態において概略的に示す部分斜視図
【図５】第３実施の形態の挿入ユニットを管路内に挿入した状態において概略的に示す部分斜視図
【図６】第４実施の形態の挿入ユニットを内視鏡の挿入部とともに管路内に挿入した状態において概略的に示す部分斜視図
【図７】第５実施の形態の挿入ユニットを概略的に示す部分斜視図
【図８】第６実施の形態の挿入ユニットを概略的に示す部分斜視図
【図９】第７実施の形態の挿入ユニットを概略的に示す部分斜視図
【図１０】図９中のX-X線に沿う挿入ユニットの断面図
【図１１】第８実施の形態の挿入ユニットを概略的に示す部分斜視図
【図１２】第９実施の形態の挿入ユニットを概略的に示す部分斜視図
【図１３】第１０実施の形態の挿入ユニットを概略的に示す部分斜視図
【図１４】第１１実施の形態の挿入ユニットを概略的に示す部分斜視図
【図１５】図１４の蓋体が閉成された状態を部分斜視図
【図１６】図１５中のXVI-XVI線に沿う外側挿入体の断面図
【発明を実施するための形態】
【００１２】
以下、図面を参照して本発明の実施の形態を説明する。 
（第１実施の形態）
図１は、本実施の形態の挿入ユニットを、内視鏡の挿入部とともに管路内に挿入した状態において概略的に示す部分斜視図である。
【００１３】
図１に示すように、挿入ユニット１は、複数の屈曲部Ｍ（図２参照）を有する管路１００内に挿入されるものであり、外側挿入体１０と、該外側挿入体１０の内部に対して挿入方向Ｓの前後に移動自在に挿通された内側挿入体２０とを具備して主要部が構成されている。
【００１４】
尚、内側挿入体２０は、前方への移動に伴い、外側挿入体１０の挿入方向Ｓの先端（以下、単に先端と称す）１０ｓから前方に突出自在となっている。
【００１５】
外側挿入体１０は、少なくとも先端側がコイル状に形成されたものであり、先端コイル１１と、該先端コイル１１の挿入方向の基端（以下、単に基端と称す）に固定された拡径部材１５と、該拡径部材１５の基端に先端が固定された、挿入方向Ｓに沿って細長な少なくとも先端側がコイル状に形成された外管１２とを具備して主要部が構成されている。
【００１６】
尚、先端コイル１１は、屈曲部Ｍの通過性を向上させるため、外管１２の先端側のコイル１２ｃよりも柔らかく形成されている。先端コイル１１は、管路１００の入口付近に位置する外側挿入体１０の挿入方向Ｓの基端側（以下、単に基端側と称す）に押し込み力が付与されて、外側挿入体１０の先端側が管路１００内を進行していく際、屈曲部Ｍを有する屈曲管と直行管との間の繋ぎ目の段差に接触し、後述する拡径部材１５の回動に伴い段差から弾けることによって段差を回避し、外側挿入体１０の屈曲部Ｍにおける通過性を向上させるために、柔らかく形成されている。
【００１７】
尚、先端コイル１１と外管１２の先端側のコイル１２ｃとにより、外側挿入体１０の先端側がコイル状に形成されているのは、コイルが、管路１００における屈曲部Ｍの通過性を向上させるよう機能するためである。
【００１８】
よって、屈曲部Ｍの通過に用いない外管１２のコイル１２ｃ以外の部位は、外側挿入体１０を押し込む力を基端側から先端側に伝えることのできる程度の剛性を有するシース状部材から形成されていれば良い。勿論、外管１２は、全長に亘ってコイル１２ｃから形成されていても構わない。
【００１９】
拡径部材１５は、外管１２の先端と先端コイル１１の基端との間、即ち、外側挿入体１０の先端側に設けられているとともに、例えば金属から形成されている管路１００に対して滑り性の良い部材、例えば金属や樹脂から形成されている。
【００２０】
具体的には、拡径部材１５は、先端コイル１１や外管１２よりも径方向Ｋに大径に、丸みを帯びているか管路１００の屈曲部Ｍに対して斜めに接触するよう、傾斜状を有した形状に形成されていることが好ましい。尚、拡径部材１５は、先端コイル１１や外管１２と一体的に形成されていても構わない。
【００２１】
拡径部材１５は、管路１００の入口付近に位置する外側挿入体１０の基端側に押し込み力が付与されて、外側挿入体１０の先端側が管路１００内を進行していく際、屈曲部Ｍに接触して回動することにより、屈曲部Ｍの段差に引っ掛かる先端コイル１１を外すことによって、外側挿入体１０の屈曲部Ｍにおける通過性を向上させるものである。尚、拡径部材を用いて屈曲部の通過性を向上させる構成は、本出願人により既に出願済みであるため（特願２０１０−２２４２５１号）、その詳しい説明は省略する。
【００２２】
また、拡径部材１５は、管路１００内に外側挿入体１０を挿入していく際、外側挿入体１０が管路１００の内壁１００ｎを摺動してしまうことがないよう、内壁１００ｎから外側挿入体１０の外周側面を離間させるセンタリング部材としても機能している。
【００２３】
尚、拡径部材１５に、図１に示すように、拡径部材１５よりも前方に位置する管路１００内の被検部位を撮像する撮像ユニット１６や、該被検部位を照明する照明部材１７等が設けられていても構わない。
【００２４】
内側挿入体２０は、少なくとも先端側がコイル状に形成されており、該先端側には、流体Ｒの供給遮断に伴い、径方向Ｋに膨張収縮自在なバルーン２２が設けられている。
【００２５】
具体的には、後述する図１０に示すように、内側挿入体２０を構成する先端側のコイル２０ｃは、内側挿入体２０内に挿通された後述する流体供給チューブ２３の先端に嵌合された継手８０における挿入方向Ｓの略半部の外周に固定されており、継手８０の先端が、バルーン２２の基端の外周にカシメられた外環８１内に挿通されて固定されていることにより、バルーン２２は、内側挿入体２０の先端側に固定されている。
【００２６】
尚、バルーン２２の基端の内部には、内環８２が嵌入されている。また、バルーン２２の先端の内部にも内環８４が嵌入されており、バルーン２２の先端の外周は、外環８３によってカシメられて固定されている。
【００２７】
また、内側挿入体２０の少なくとも先端側がコイル２０ｃから形成されているのは、内側挿入体２０の基端側から付与された押し込む力を、内側挿入体２０の先端側に適切に伝達するためと、屈曲部Ｍを通過する際、ある程度柔軟性を有している方が良いためである。
【００２８】
よって、内側挿入体２０も挿入方向Ｓにおける全長に亘って、コイル２０ｃから形成されていても構わないし、屈曲部Ｍを通過する部位以外は、内側挿入体２０を押し込む力を基端側から先端側に伝えることのできる程度の剛性を有するシース状部材から形成されていても良い。
さらに、流体供給チューブ２３を例えばウレタン、フッ素樹脂等で肉厚を厚いもので、腰を強くすることで、コイル等の部材を設けない構成とすることも可能である。
【００２９】
また、図１に示すように、内側挿入体２０は、外側挿入体１０の先端１０ｓから、内側挿入体２０の先端側が前方に突出できるよう、外側挿入体１０よりも挿入方向Ｓに長く形成されている。
これにより、手元側から押し込むことで、外側挿入体１０から先端側にバルーン２２を完全に押し出すことができる。
【００３０】
バルーン２２は、挿入方向Ｓに沿って所定の長さ、具体的には、膨張時、管路１００の内壁１００ｎに当接できる程度の長さに形成されており、外側挿入体１０の先端１０ｓから内側挿入体２０の先端側が前方に突出した後、流体Ｒの供給に伴い径方向Ｋに膨張して管路１００の内壁１００ｎに当接することによって、管路１００に対して内側挿入体２０の先端側を固定するとともに、当接部位Ｗよりも管路１００内の後方の空間Ｐに対して、当接部位Ｗよりも前方から気体Ａが進入することを防ぐものである。即ち、当接部位Ｗよりも後方の空間Ｐに、封止空間を形成するものである。
【００３１】
尚、空間Ｐに位置する被検部位Ｈは、挿入ユニット１とともに管路１００内に挿入された、例えば先端にアダプタ３５が装着された内視鏡の挿入部３０によって観察され、各種検査や処置が施される。
【００３２】
内側挿入体２０内に、バルーン２２に流体の供給を行う流体供給チューブ２３が挿通されている。尚、流体供給チューブ２３の基端側は、内側挿入体２０の基端から後方に引き出されており、基端に形成されたコネクタ２４が、図示しない流体供給装置に着脱自在となっている。尚、コネクタ２４または流体供給チューブ２３の基端側の一部には、図示しない開閉弁が設けられている。
【００３３】
次に、本実施の形態の作用を、上述した図１とともに、図２及び図３を用いて説明する。図２は、図１の外側挿入体の先端側が、管路の屈曲部を通過した状態において、屈曲部内に、内側挿入体の先端側が位置している状態を示す部分断面図、図３は、図１の外側挿入体の先端側が、管路の屈曲部を通過した状態において、屈曲部通過後の直行部に、内側挿入体の先端側が位置している状態を示す部分断面図である。
【００３４】
先ず、複数の屈曲部Ｍ１〜Ｍ４を有する管路１００、例えばガス管において、図２に示す屈曲部Ｍ４よりも奥に位置する被検部位Ｈの観察や処置を行いたい場合には、管路１００の基端側の一部を外すとともに、管路１００内に挿入ユニット１を挿入する。
【００３５】
この際、内側挿入体２０の先端２０ｓは、外側挿入体１０の先端１０ｓよりも前方に飛び出すことなく、図３に示すように、拡径部材１５よりもやや後方に位置させておく。
【００３６】
次いで、管路１００の入口付近から挿入ユニット１の基端側に前方への押し込み力を付与すると、具体的には、外側挿入体１０の基端側の外周を潰して、外側挿入体１０とともに内側挿入体２０に押し込み力を付与すると、外側挿入体１０及び内側挿入体２０は、外側挿入体１０に対する内側挿入体２０の位置を変えずに管路１００内を前方に進行していく。
【００３７】
この際、管路１００には、図２に示すように、複数の屈曲部Ｍ１〜Ｍ４が存在するが、外側挿入体１０の先端コイル１１や、外管１２の先端側のコイル１２ｃ、拡径部材１５によって、屈曲部Ｍ１〜Ｍ４に対して、外側挿入体１０の先端側を、容易に通過させることができる。
【００３８】
その後、挿入ユニット１、即ち外側挿入体１０の先端側を、管路１００における屈曲部Ｍ４よりも前方の管路の直行部１００ｓまで挿入した後、上述したように、先端が拡径部材１５よりもやや後方に位置する内側挿入体２０の先端側のバルーン２２が管路１００の屈曲部M4を通り越して直管部分に位置させて、その後、バルーン２２を、外側挿入対１０の先端１０ｓよりも前方に、図１に示すように、バルーン２２が完全に管路１００内に露出されるとともに、バルーン２２の基端が被検部位Ｈよりも前方に位置するまで押し出す。
【００３９】
この際、内側挿入体２０の先端２０ｓが、拡径部材１５よりもやや後方に位置しておらず、図２に示すように、バルーン２２が屈曲部Ｍ４内に位置していると、内側挿入体２０の基端側に押し込み力を付与して内側挿入体２０を前方に押し出そうとしても、外側挿入体１０内において所定の長さに形成されているバルーン２２が折れ曲がってしまい、内側挿入体２０を押し込み力が先端側に伝わり難くなってしまうため、内側挿入体２０の先端側を、外側挿入体１０の先端１０ｓから前方に突出させることが難しくなる。
【００４０】
尚、このことは、内側挿入体２０の先端２０ｓが拡径部材１５よりもやや後方に位置していたとしても、外側挿入体１０の先端側が屈曲部Ｍ４内に位置している場合においても同様である。
【００４１】
しかしながら、図３に示すように、外側挿入体１０の先端側が、確実に、屈曲部Ｍ４よりも奥に位置する直行部１００ｓまで挿入され、内側挿入体２０の先端２０ｓが、拡径部材１５よりもやや後方に位置している、即ち、内側挿入体２０の先端２０ｓも直行部１００ｓに位置していれば、内側挿入体２０の先端側を、容易に外側挿入体１０の先端１０ｓよりも前方に押し出すことができる。
【００４２】
尚、例外として、バルーン２２が挿入方向Ｓに短く、または拡径部材１５が挿入方向Ｓに長く、バルーン２２が拡径部材１５とほぼ同じ長さを有している場合においては、仮に拡径部材１５が屈曲部Ｍに位置していたとしても、拡径部材１５は硬質な部材から形成されているため、バルーン２２が折り曲がることなく、内側挿入体２０の先端側を、容易に外側挿入体１０の先端１０ｓよりも前方に押し出すことができる。
【００４３】
内側挿入体２０の先端側を、外側挿入体１０の先端１０ｓよりも前方の上述した位置に押し出した後、流体供給チューブ２３を介してバルーン２２に流体Ｒを供給する。このことにより、図１に示すように、バルーン２２は、径方向Ｋに膨張する。その後、バルーン２２は、管路１００の内壁１００ｎに当接することにより、バルーン２２により管路１００に対して外側挿入体１０の先端側が固定される。
【００４４】
また、バルーン２２により、気体Ａ、例えばガスが、当接部位Ｗよりも後方に空間Ｐに進入することが防止される。
【００４５】
その後、例えばコネクタ２４に設けられた開閉弁が閉成され、コネクタ２４が流体供給装置から脱却された状態において、外側挿入体１０の基端側に引き出し力を付与することにより、管路１００内から外側挿入体１０が抜去される。即ち、管路１００内には、内側挿入体２０のみが位置することになる。
【００４６】
これは、外側挿入体１０が管路１００内に位置していると、管路１００内に、内視鏡の挿入部３０を挿入する際の妨げになるためである。即ち、外側挿入体１０は、挿入ユニット１の先端側を、屈曲部Ｍ４の奥まで挿入する際に、挿入性を向上させるために用いられるものである。よって、管路１００の径が非常に大きい場合は、外側挿入体１０は挿入部３０の挿入に対して邪魔にならないことから、外側挿入体１０を抜去しなくても構わない。
【００４７】
外側挿入体１０の抜去後、管路１００内のバルーン２２によって封止された空間Ｐ内に内視鏡の挿入部３０が挿通され、空間Ｐ内に位置する被検部位Ｈが観察され、ガス漏れチェック等の検査や補修等の各種処置が行われる。
【００４８】
尚、該被検部位Ｈの観察は、上述したように、拡径部材１５に撮像ユニット１６や照明部材１７が設けられている場合は、外側挿入体１０を抜去せずに、これらの撮像ユニット１６や照明部材１７が用いられて行われても構わない。
【００４９】
このように、本実施の形態においては、外側挿入体１０の先端コイル１１、外管１２の先端側のコイル１２ｃ、拡径部材１５を用いて、挿入ユニット１の屈曲部Ｍ１〜Ｍ４に対する通過性を向上させて、屈曲部Ｍ４よりも奥に、挿入ユニット１の先端側を挿入した後、外側挿入体１０の先端１０ｓから、内側挿入体２０の先端側を、バルーン２２の基端が被検部位Ｈよりも前方に位置するよう突出させると示した。
【００５０】
このことによれば、従来のように、バルーンの付いた挿入体のみを、複数の屈曲部Ｍを有する管路１００内に挿入した場合は、上述したようにバルーンが屈曲部Ｍにおいて折れ曲がってしまい、屈曲部Ｍよりも奥にバルーンを挿入することができなかったが、本構成によれば、外側挿入体１０を用いて屈曲部Ｍ１〜Ｍ４を通過し、屈曲部Ｍ４の通過後、容易にバルーン２２が設けられた内側挿入体２０の先端側を、屈曲部Ｍ４よりも前方に押し出すことができる。
【００５１】
以上から複数の屈曲部Ｍを、容易に通過させることができることにより、バルーン２２を屈曲部Ｍ４よりも前方に容易に位置させることができる構成を有する挿入ユニット１を提供することができる。なお、上述した本実施の形態においては、外側挿入体１０に拡張部材１５を設けたが、拡径部材１５を設けず、外側挿入体１０をコイルのみの構成としても良い。
【００５２】
（第２実施の形態）
図４は、本実施の形態の挿入ユニットを内視鏡の挿入部とともに管路内に挿入した状態において概略的に示す部分斜視図である。
【００５３】
この第２実施の形態の挿入ユニットの構成は、上述した図１〜図３に示した第１実施の形態の挿入ユニットと比して、外側挿入体が、外コイルのみから構成されているとともに、内側挿入体のバルーンよりも先端側にコイル状部材と拡径部材とが設けられている点が異なる。よって、この相違点のみを説明し、第１実施の形態と同様の構成には同じ符号を付し、その説明は省略する。
【００５４】
図４に示すように、本実施の形態においては、挿入ユニット２０１の外側挿入体１０は、少なくとも先端側がコイル１２ｃから形成された外管１２のみから構成されているとともに、内側挿入体２０の先端側において、バルーン２２よりも前方の部位に、先端コイル２５が設けられており、さらに先端コイル２５に、拡径部材１５が設けられている。
【００５５】
尚、先端コイル２５は、上述した第１実施の形態の先端コイル１１と同様に、屈曲部Ｍの通過性を向上させるため、内側挿入体２０における他のコイル２０ｃよりも柔らかく形成されている。また、第１実施の形態と同様に、拡径部材１５に、撮像ユニット１６や照明部材１７等が設けられていても構わない。また、その他の構成は、上述した第１実施の形態と同じである。
【００５６】
次に、本実施の形態の作用について説明する。  
先ず、複数の屈曲部Ｍ１〜Ｍ４を有する管路１００、例えばガス管における図２に示す屈曲部Ｍ４よりも奥に位置する被検部位Ｈの観察や処置を行いたい場合には、管路１００の基端側の一部を外すとともに、管路１００内に挿入ユニット２０１を挿入する。
【００５７】
この際、内側挿入体２０の先端２０ｓは、外側挿入体１０の先端１０ｓよりも前方に飛び出て位置している。具体的には、拡径部材１５の基端が、外側挿入体１０の先端１０ｓに当接することにより、拡径部材１５よりも前方部位が先端１０ｓから飛び出た状態で、管路１００内に挿入される。尚、この際、バルーン２２は、外側挿入体１０内に位置している。
【００５８】
次いで、管路１００の入口付近から挿入ユニット２０１の基端側に、第１実施の形態と同様の手法により前方への押し込み力を付与すると、挿入ユニット２０１は、管路１００内において進行していく。
【００５９】
この際、管路１００には、図２に示すように、複数の屈曲部Ｍ１〜Ｍ４が存在するが、内側挿入体２０の先端コイル２５や、拡径部材１５、外側挿入体１０の外管１２における先端側のコイル１２ｃによって、屈曲部Ｍ１〜Ｍ４に対して、内側挿入体２０の先端側及び外側挿入体１０の先端側を、容易に通過させることができる。
【００６０】
その後、挿入ユニット２０１、即ち内側挿入体２０の拡径部材１５を、管路１００のおける屈曲部Ｍ４よりも前方の管路の直行部１００ｓ（図２参照）に位置するまで挿入した後、内側挿入体２０の先端側を、図４に示すように、バルーン２２が完全に管路１００内に露出されるとともに、バルーン２２の基端が被検部位Ｈよりも前方に位置するまで前方に押し出す。
【００６１】
内側挿入体２０の先端側を、上述した位置まで押し出した後、流体供給チューブ２３を介してバルーン２２に流体Ｒを供給することにより、図４に示すように、バルーン２２を径方向Ｋに膨張させる。その後、バルーン２２は、管路１００の内壁１００ｎに当接することにより、管路１００に対して内側挿入体２０の先端側が固定される。
【００６２】
また、バルーン２２により、気体Ａ、例えばガスが、当接部位Ｗよりも後方に空間Ｐに進入することが防止される。
【００６３】
その後、上述した第１実施の形態と同様に、コネクタ２４の開閉弁を閉成し、コネクタ２４を流体供給装置から脱却して、外側挿入体１０の基端側に引き出し力を付与することにより、管路１００内から外側挿入体１０が抜去される。即ち、管路１００内には、内側挿入体２０のみが位置することになる。尚、上述したように、管路１００の径が大きい場合には、外側挿入体１０を抜去する必要はない。
【００６４】
最後に、外側挿入体１０の抜去後、管路１００内のバルーン２２によって封止された空間Ｐ内に内視鏡の挿入部３０が挿通され、空間Ｐ内に位置する被検部位Ｈが観察され、上述した各種検査、処置が行われる。
【００６５】
このように、拡径部材１５が内側挿入体２０に設けられていても、上述した第１実施の形態と同様の効果を得ることができる。尚、その他の効果は、上述した第１実施の形態と同じである。
【００６６】
（第３実施の形態）
図５は、本実施の形態の挿入ユニットを管路内に挿入した状態において概略的に示す部分斜視図である。
【００６７】
この第３実施の形態の挿入ユニットの構成は、上述した図１〜図３に示した第１実施の形態の挿入ユニットと比して、外側挿入体の基端側の外周に、筒状部材が被覆されている点が異なる。よって、この相違点のみを説明し、第１実施の形態と同様の構成には同じ符号を付し、その説明は省略する。
【００６８】
図５に示すように、本実施の形態においては、管路１００内に挿入される外側挿入体１０の基端側の外周に、筒状部材４０が被覆されている。尚、筒状部材４０は、外側挿入体１０に対して挿入方向Ｓの前後に移動自在であり、移動がしやすいよう滑りやすい部材から形成されている。
【００６９】
また、筒状部材４０には、管路１００内に挿入した際、管路１００の内壁１００ｎに当接する封止部材４１が設けられている。
【００７０】
封止部材４１は、管路１００内において、上述したように、バルーン２２が径方向Ｋに膨張することによって封止する空間Ｐを形成する前に、気体Ａ、例えばガスが、管路１００の後方に流れてしまい、検査者が不快に感じてしまうのを防ぐものである。即ち、封止部材４１よりも前方から、後方に気体Ａが進入してしまうことを防ぐ部材である。
【００７１】
尚、バルーン２２の膨張前の気体Ａの後方への進入を防ぐため、外側挿入体１０の内周面１０ｎに、内側挿入体２０の外周面２０ｇに当接する密閉部材１９が設けられていることが好ましい。
【００７２】
さらに、バルーン２２の膨張前の気体Ａの後方への進入を防ぐため、管路１００の屈曲部Ｍの通過に関与しない外側挿入体１０及び内側挿入体２０の部位は、上述したようにコイル以外のシース部材から構成されていることが好ましい。
【００７３】
これは、外側挿入体１０及び内側挿入体２０が全長に亘ってそれぞれコイルから構成されていると、コイルの素線間から気体Ａが、それぞれ外側挿入体１０内及び内側挿入体２０内に進入してしまい、後方へ気体Ａが進入してしまうためである。尚、その他の構成は、上述した第１実施の形態と同じである。
【００７４】
このような構成によれば、上述した第１実施の形態の効果に加え、バルーン２２が膨張する前に、管路１００の後方に気体Ａが進入してしまうことを、封止部材４１や密閉部材１９が防ぐことから、検査者に気体Ａが吹き付けられ、検査者に不快感を与えてしまうことがない。
【００７５】
（第４実施の形態）
図６は、本実施の形態の挿入ユニットを内視鏡の挿入部とともに管路内に挿入した状態において概略的に示す部分斜視図である。
【００７６】
この第４実施の形態の挿入ユニットの構成は、上述した図１〜図３に示した第１実施の形態の挿入ユニットと比して、外側挿入体の拡径部材が、バルーンも兼ねている点が異なる。よって、この相違点のみを説明し、第１実施の形態と同様の構成には同じ符号を付し、その説明は省略する。
【００７７】
図６に示すように、本実施の形態の挿入ユニット４０１においては、内側挿入体２０にはバルーンを設けずに、外側挿入体１０に設けられた拡径部材を構成するバルーン４２が、流体供給チューブ４３からの流体Ｒの供給により膨張する構成を有している。
【００７８】
よって、バルーン４２を、流体Ｒの供給により、２点鎖線で示す大きさ４２Ａまで径方向Ｋに膨張させると、上述した第１実施の形態の拡径部材１５と同じように屈曲部Ｍの通過性を向上させるために機能し、大きさ４２Ａよりも大きい２点鎖線で示す大きさ４２Ｂまで径方向Ｋに膨張させると、上述した第１実施の形態のバルーン２２と同じように管路１００の内壁１００ｎに当接し、バルーン４２よりも後方の空間Ｐに対して、前方から気体Ａが進入してしまうことを防ぐ機能を有している。尚、その他の構成は、上述した第１実施の形態と同じである。
【００７９】
このような構成によれば、内側挿入体２０にバルーン２２を設ける必要がなくなるため、上述した第１実施の形態よりも低コストに挿入ユニット４０１を形成することができる。尚、コスト面を考慮しなければ、内側挿入体２０にバルーン２２をさらに設けても構わない。また、その他の効果は、第１実施の形態と同じである。
【００８０】
（第５実施の形態）
図７は、本実施の形態の挿入ユニットを概略的に示す部分斜視図である。  
この第５実施の形態の挿入ユニットの構成は、上述した図１〜図３に示した第１実施の形態の挿入ユニットと比して、外側挿入体に設けられた拡径部材が、内側挿入体のバルーンの膨張に伴い径方向に膨張する点が異なる。よって、この相違点のみを説明し、第１実施の形態と同様の構成には同じ符号を付し、その説明は省略する。
【００８１】
図７に示すように、本実施の形態における挿入ユニット５０１においては、拡径部材４５は、挿入方向Ｓに沿った複数のスリット４５ｓが形成された、滑り性の良いチューブ状部材から形成されている。
【００８２】
拡径部材４５は、通常は、外側挿入体１０の先端コイル１１、外管１２と同じ径に形成されているが、内部に挿通された内側挿入体２０のバルーン２２が、拡径部材４５に対向する位置まで移動され、バルーン２２が径方向Ｋに膨張されると、バルーン２２の膨張に伴って径方向Ｋに膨張し、第１実施の形態の拡径部材１５と同様に、屈曲部Ｍの通過性を向上させるために機能する。
【００８３】
尚、拡径部材４５は、外側挿入体１０の先端１０ｓから前方に内側挿入体２０のバルーン２２が押し出されると元の径に収縮する。また、その他の構成は、上述した第１実施の形態と同じである。
【００８４】
このような構成によっても、上述した第１実施の形態と同様の効果を得ることができる。
【００８５】
（第６実施の形態）
図８は、本実施の形態の挿入ユニットを概略的に示す部分斜視図である。  
この第６実施の形態の挿入ユニットの構成は、上述した図１〜図３に示した第１実施の形態の挿入ユニットと比して、内側挿入体に設けられたバルーンの径方向への膨張度合いを可変することができる構成を有している点が異なる。よって、この相違点のみを説明し、第１実施の形態と同様の構成には同じ符号を付し、その説明は省略する。
【００８６】
図８に示すように、本実施の形態の挿入ユニット６０１においては、内側挿入体２０に設けられるバルーン２２が、上述した第１実施の形態のバルーン２２よりも挿入方向Ｓに長く形成されている。尚、その他の構成は、第１実施の形態と同じである。
【００８７】
このような構成によれば、一方、管路径の大きな管路内に挿入ユニット６０１を挿入する際は、外側挿入体１０の先端１０ｓを、バルーン２２よりも後方に位置させておけば、バルーン２２は、２点鎖線で示す符号２２Ｂに示すように、流体Ｒの供給に伴い大きく径方向Ｋに膨張する。
【００８８】
他方、管路径の小さな管路内に挿入ユニット６０１を挿入する際は、図８の点線に示すように、先端１０ｓがバルーン２２の挿入方向Ｓの中途に位置するよう、外側挿入体１０を前方に移動させる。
【００８９】
その結果、バルーン２２は、２点鎖線で示す符号２２Ａに示すように、流体Ｒの供給に伴い、符号２２Ｂよりも小さく径方向Ｋに膨張する。これは、バルーン２２の外側挿入体１０によって被覆された部位は膨張できないためである。
【００９０】
即ち、バルーン２２に対する外側挿入体１０の挿入方向Ｓにおける被覆範囲を可変することにより、バルーン２２の径方向Ｋへの膨張の大きさを可変することができる。
【００９１】
以上から、バルーン２２の径方向Ｋへの膨張度合いが異なる複数の挿入ユニットを用意しなくても、１つの挿入ユニットを用いて、管路径の異なる複数の管路に挿入することができ、各管路内において、管路径に応じて、適切に膨張したバルーン２２により後方に封止空間Ｐを形成することができる。尚、その他の効果は、上述した第１実施の形態と同じである。
【００９２】
（第７実施の形態）
図９は、本実施の形態の挿入ユニットを概略的に示す部分斜視図、図１０は、図９中のX-X線に沿う挿入ユニットの断面図である。
【００９３】
この第７実施の形態の挿入ユニットの構成は、上述した図１〜図３に示した第１実施の形態の挿入ユニットと比して、外側挿入体の外周に設けられた拡径部材が、流体の供給により、径方向に膨張自在なバルーンから構成されている点が異なる。よって、この相違点のみを説明し、第１実施の形態と同様の構成には同じ符号を付し、その説明は省略する。
【００９４】
図９に示すように、本実施の形態の挿入ユニット７０１においては、外側挿入体１０の先端側に、拡径部材として、流体の供給により径方向Ｋに膨張自在なバルーン４２が設けられている。
【００９５】
具体的には、図１０に示すように、バルーン４２内には、内側挿入体２０よりも径方向Ｋに大径な先端内チューブ９２が挿通されており、バルーン４２の先端は、バルーン４２の先端の内周と、先端内チューブ９２の先端の外周との間を封止する封止部材９０ａに対して、糸巻き接着部９１により固定されている。尚、先端内チューブ９２の基端は、連結口金９４の先端に固定されており、該連結口金の基端に、外管１２内に挿通された内チューブ９５の先端が固定されている。
【００９６】
また、バルーン４２の基端は、バルーン４２の基端の内周と、先端内チューブ９２の基端の外周との間を封止する封止部材９０ｂに対して、糸巻き接着部９１により固定されている。
【００９７】
尚、封止部材９０ｂには、挿入方向Ｓに貫通する孔が形成されており、即ち、バルーン４２内に連通する孔が形成されており、該孔には、継手９３の先端側が固定されている。また、継手９３の基端には、流体供給チューブ４３の先端が固定されている。尚、内チューブ９５によって外管１２内に挿通された内側挿入体２０が、流体供給チューブ４３に接触することが防がれている。
【００９８】
このような構成により、バルーン４２は、流体供給チューブ４３から流体Ｒが供給されると、径方向Ｋに膨張するよう構成されている。尚、上述した第４実施の形態に示したバルーン４２も本実施の形態と同様の構成を有している。また、その他の構成は、上述した第１実施の形態と同じである。
【００９９】
このような構成によれば、第４実施の形態と同様に、バルーン４２を、流体Ｒの供給により、２点鎖線で示す大きさ４２Ａまで径方向Ｋに膨張させると、上述した第１実施の形態の拡径部材１５と同じように屈曲部Ｍの通過性を向上させるために機能する。
【０１００】
さらに、屈曲部Ｍにおいて、バルーン４２を大きさ４２Ａよりも大きな２点鎖線で示す大きさ４２Ｂまで膨張させると、外側挿入体１０の先端側を直行部１００ｓまで挿入しなくても、外側挿入体１０の先端側をバルーン４２によって屈曲部Ｍ４に固定した状態において、外側挿入体１０の先端１０ｓから、前方に、内側挿入体２０の先端側を容易に送り出すことができることから、バルーン４２を、屈曲部Ｍ４よりも前方に容易に位置させることができる。即ち、屈曲部Ｍを容易に通過させることができる。
【０１０１】
尚、図示しないが、バルーン４２を周方向において一部のみ厚さを異ならせる等により、周方向において径方向Ｋへの膨張度合いを異ならせて、管路１００の屈曲部Ｍの内壁に当接させれば、外側挿入体１０は屈曲部Ｍ内において偏芯して位置することから、屈曲部Ｍにおける上述した継ぎ目の段差に引っ掛かり難くなるため、屈曲部Ｍの通過性をより向上させることができる。その他の効果は、上述した第１実施の形態と同じである。
【０１０２】
（第８実施の形態）
図１１は、本実施の形態の挿入ユニットを概略的に示す部分斜視図である。  
この第８実施の形態の挿入ユニットの構成は、上述した図６に示した第４実施の形態の挿入ユニットと比して、内側挿入体内にガイドワイヤが挿入自在な点が異なる。よって、この相違点のみを説明し、第１実施の形態と同様の構成には同じ符号を付し、その説明は省略する。
【０１０３】
図１１に示すように、本実施の形態の挿入ユニット８０１においては、先端に球状部５１を有するガイドワイヤ５０が、内側挿入体２０の内部に挿通自在となっているとともに、挿入方向Ｓの前後に移動自在となっている。尚、ガイドワイヤ５０の先端側は、屈曲部Ｍに対して通過しやすいよう、一方向に曲がった形状を有していても構わない。さらに、細いワイヤ以外に、細いチューブ構造として、このチューブの中に芯金を入れる等することで、使用時に硬さを変えたり、部分的に硬さを（例えば、先端部のみ柔らかくなるように）変えたりしてもよい。また、その他構成は、上述した第４実施の形態と同じである。
【０１０４】
このような構成によれば、第４実施の形態のように、バルーン４２を小さく径方向Ｋに膨張させて、屈曲部Ｍの通過性を向上させるために用いなくても、先ず、管路１００内に、ガイドワイヤ５０を挿入し、球状部５１を用いてガイドワイヤ５０を管路１００の複数の屈曲部Ｍ１〜Ｍ４に対して通過させた後、ガイドワイヤ５０に沿って、内側挿入体２０を前方に挿入し、さらに、内側挿入体２０に沿って外側挿入体１０を前方に挿入することができることから、複数の屈曲部Ｍ１〜Ｍ４に対して、挿入ユニット８０１を容易に通過させることができる。よって、バルーン４２を用いて挿入ユニット４０１の挿入性を向上させた第４実施の形態と同様の効果を得ることができる。
【０１０５】
（第９実施の形態）
図１２は、本実施の形態の挿入ユニットを概略的に示す部分斜視図である。  
この第９実施の形態の挿入ユニットの構成は、上述した図４に示した第２実施の形態の挿入ユニットと比して、バルーンが、内側挿入体の内部において前後に移動自在になっているとともに、バルーンが、内側挿入体の先端から前方に突出自在に構成されている点が異なる。よって、この相違点のみを説明し、第１実施の形態と同様の構成には同じ符号を付し、その説明は省略する。
【０１０６】
図１２に示すように、本実施の形態の挿入ユニット９０１においては、外側挿入体１０は、内側挿入体２０の外周を気密に覆うシース状部材から構成されている。また、内側挿入体２０の先端側には、第２実施の形態同様、拡径部材１５が設けられている。
【０１０７】
また、本実施の形態においては、流体供給チューブ２３の先端が固定されたバルーン２２は、内側挿入体２０内を、挿入方向Ｓの前後に移動自在となっており、内側挿入体２０の先端２０ｓから、前方に突出自在に構成されている。
【０１０８】
内側挿入体２０内に位置する流体供給チューブ２３において、外側挿入体１０によって気密に覆われた部位に、ピストン５５が介装されている。
【０１０９】
ピストン５５は、内側挿入体２０内のピストン５５よりも後方から気体Ｑが供給されると前方に移動する。その結果、内側挿入体２０内に位置するバルーン２２は、流体供給チューブ２３を介して先端２０ｓから前方に突出する構成となっている。
【０１１０】
このような構成によれば、内側挿入体２０において、先端側の内部にバルーン２２を収納した状態において、拡径部材１５を用いて管路１００の複数の屈曲部Ｍに対して内側挿入体２０を直行部１００ｓ（図２参照）まで通過させ、直行部１００ｓにて、気体Ｑの供給により、ピストン５５を用いて、流体供給チューブ２３を介して、内側挿入体２０の先端２０ｓから前方にバルーン２２を押し出すことにより、上述した第２実施の形態と同様の効果を得ることができる。
【０１１１】
尚、バルーン２２を膨張させる流体Ｒと、気体Ｑとは同じであっても別のものであってもどちらであっても構わない。
【０１１２】
（第１０実施の形態）
図１３は、本実施の形態の挿入ユニットを概略的に示す部分斜視図である。  
この第１０実施の形態の挿入ユニットの構成は、上述した図１２に示した第９実施の形態の挿入ユニットと比して、外側挿入体の先端側が一方向に湾曲自在に構成されているとともに、内側挿入体の先端側が、外側挿入体の先端の側面から、一方向とは反対の他方向に湾曲する形状を有している点が異なる。よって、この相違点のみを説明し、第９実施の形態と同様の構成には同じ符号を付し、その説明は省略する。
【０１１３】
図１３に示すように、本実施の形態の挿入ユニット１００１は、外側挿入体１０の先端側が、屈曲部Ｍに当接すると、一方向Ｖ１に湾曲自在になるよう構成されており、外側挿入体１０内に挿通されている内側挿入体２０の先端側は、外側挿入体１０の先端１０ｓの側面１０ｄから突出自在となっているとともに、一方向Ｖ１とは反対の他方向Ｖ２に湾曲する形状を有している。尚、本実施の形態においては、内側挿入体２０や外側挿入体１０に、拡径部材は設けられていない。
【０１１４】
また、バルーン２２は、上述した第９実施の形態と同様に、内側挿入体２０の先端２０ｓから前方に突出自在となっている。
【０１１５】
このような構成によれば、屈曲部Ｍを２つ有するクランク状の管路に挿入ユニット１００１を挿入する際、先ず、外側挿入体１０の先端１０ｓが１つ目の屈曲部Ｍに接触することにより、外側挿入体１０の先端側が一方向Ｖ１に湾曲することによって、１つめの屈曲部Ｍが通過でき、その後、側面１０ｄから、先端側が他方向Ｖ２に湾曲する内側挿入体２０を突出させることにより、２つ目の屈曲部Ｍを通過することができることから、クランク状の屈曲部を容易に通過させることができる。尚、クランク状の屈曲部通過後は、第９実施の形態と同様に、バルーン２２を、先端２０ｓから前方に突出させることにより、上述した第９実施の形態と同様の効果を得ることができる。
【０１１６】
（第１１実施の形態）
図１４は、本実施の形態の挿入ユニットを概略的に示す部分斜視図、図１５は、図１４の蓋体が閉成された状態を部分斜視図、図１６は、図１５中のXVI-XVI線に沿う外側挿入体の断面図である。
【０１１７】
この第１１実施の形態の挿入ユニットの構成は、上述した図７に示した第５実施の形態の挿入ユニットと比して、外側挿入体がシース状に形成されているとともに、先端側がＳ字状に形成されており、拡径部材が、先端側の薄肉部から構成されている点が異なる。よって、この相違点のみを説明し、第９実施の形態と同様の構成には同じ符号を付し、その説明は省略する。
【０１１８】
図１４に示すように、本実施の形態における挿入ユニット１１０１においては、外側挿入体１０は、ウレタン等のチューブ状部材から構成されており、先端がＳ字状に形成されている。
なお、配管の形状が、図２の通り紙面に対してＵ字状に形成されている以外に、例えば３次元的に形成されている場合は、Ｓ字状でなはなく、螺旋状に形成（配管の向きに合わせる）することでより挿入し易くなる。
【０１１９】
また、図１４〜図１６に示すように、外側挿入体１０の先端１０ｓには、内部に挿通される内側挿入体２０によって開閉自在な蓋体６０が設けられている。よって、蓋体６０は、内側挿入体２０が、外側挿入体１０の内部に位置している際は閉成しており、外側挿入体１０の内部を密閉する。
【０１２０】
さらに、図１５、１６に示すように、外側挿入体１０の先端側には、薄肉部１０ｔが形成されている。
【０１２１】
薄肉部１０ｔは、蓋体６０が閉成されている際、密閉された外側挿入体１０の内部に供給された気体Ｘによって図１６の２点鎖線に示すように径方向Ｋに膨張し、上述した拡径部材４５と同じように、屈曲部Ｍの通過性を向上させるために機能する。即ち、薄肉部１０ｔも拡径部材を構成している。
【０１２２】
尚、上述した第５実施の形態の拡径部材４５は、内部に挿通された内側挿入体２０のバルーン２２が膨張するのに伴い径方向Ｋに膨張したが、本実施の形態の拡径部材を構成する薄肉部１０ｔは、気体Ｘの供給により径方向Ｋに膨張する。よって、気体Ｘの供給を遮断すれば、薄肉部１０ｔは、図３の実線に示すように収縮する。
【０１２３】
また、薄肉部１０ｔをより大きく膨張させ、管路１００の内壁１００ｎに当接させることにより、気体Ａの進入を防止するバルーンとして用いても構わない。
【０１２４】
このような構成によっても、上述した第５実施の形態と同様の効果を得ることができる。
【符号の説明】
【０１２５】
１…挿入ユニット
１０…外側挿入体
１０ｎ…外側挿入体の内周面
１０ｓ…外側挿入体の先端
１０ｔ…外側挿入体の薄肉部
１１…先端コイル
１２ｃ…外管のコイル（他の部位のコイル）
１５…拡径部材
１６…撮像ユニット
１７…照明部材
１９…密閉部材
２０…内側挿入体
２０ｃ…内側挿入体のコイル（他の部位のコイル）
２０ｇ…内側挿入体の外周面
２２…バルーン
２３…流体供給チューブ
２５…先端コイル
４０…筒状部材
４１…封止部材
４２…拡径部材
４３…流体供給チューブ
４５…拡径部材
６０…蓋体
１００…管路
１００ｎ…内壁
２０１…挿入ユニット
３０１…挿入ユニット
４０１…挿入ユニット
５０１…挿入ユニット
６０１…挿入ユニット
７０１…挿入ユニット
８０１…挿入ユニット
９０１…挿入ユニット
１００１…挿入ユニット
１１０１…挿入ユニット
Ａ…気体
Ｋ…径方向
Ｍ１−Ｍ４（Ｍ）…屈曲部
Ｐ…空間
Ｒ…流体
Ｓ…挿入方向
Ｗ…当接部位
Ｘ…気体
【図１】
0005675398.tif 000002
【図２】
0005675398.tif 000003
【図３】
0005675398.tif 000004
【図４】
0005675398.tif 000005
【図５】
0005675398.tif 000006
【図６】
0005675398.tif 000007
【図７】
0005675398.tif 000008
【図８】
0005675398.tif 000009
【図９】
0005675398.tif 000010
【図１０】
0005675398.tif 000011
【図１１】
0005675398.tif 000012
【図１２】
0005675398.tif 000013
【図１３】
0005675398.tif 000014
【図１４】
0005675398.tif 000015
【図１５】
0005675398.tif 000016
【図１６】
0005675398.tif 000017